(57)【要約】【課題】測定対象物の輝度を短時間で測定する。【解決手段】演算処理部１０１は、２値画像の画素の総カウント数を求めるセンサ部１０２に輝度閾値th_1〜th_nを供給する。センサ部１０２は、測定対象物Ｍからの光を受光して光検出信号に変換する。センサ部１０２は、光検出信号と、演算処理部１０１から供給された輝度閾値th_1〜th_nと、を順次比較することにより、各２値画像を生成し、各総カウント数を求める。この総カウント数が各２値画像の面積を示し、各２値画像の面積は、輝度閾値th_1〜th_nに従って変化する。演算処理部１０１は、２値画像の面積が急激に変化したときの輝度閾値を測定対象物Ｍの輝度値とする。【選択図】図１
2006162356.tif 000002
【特許請求の範囲】
【請求項１】
輝度の測定対象物からの光を、行列配置された複数の光電変換素子で受光し、前記複数の光電変換素子が変換した複数の光検出信号の信号レベルと供給された閾値とをそれぞれ比較することにより前記複数の光検出信号を２値化して複数の２値信号を生成し、生成した複数の２値信号を加算演算するセンサ部と、
既知の輝度に基づいて設定された複数の閾値を前記センサ部にそれぞれ供給して前記複数の２値信号を加算演算させ、前記複数の２値信号によって形成される２値画像の面積を示す信号を出力するように前記センサ部を制御するとともに、前記センサ部に前記複数の閾値をそれぞれ供給したときに前記複数の２値信号に基づいて形成される２値画像の面積変化量を取得し、取得した面積変化量に基づいて前記測定対象物の輝度測定値を取得する演算処理部と、を備えた、
ことを特徴とする輝度測定装置。
【請求項２】
前記演算処理部は、前記閾値を変化させて前記２値画像の面積変化量を計測し、前記閾値の変化量に対する前記面積変化量が変化したときに、前記面積変化量が変化したときの閾値に対応する既知の輝度を前記測定対象物の輝度測定値として取得する、
ことを特徴とする請求項１に記載の輝度測定装置。
【請求項３】
供給された画像データによる画像を投影面に投影する投影部と、
前記投影部が前記投影面に投影した投影画像を測定対象物として、前記投影画像の輝度を取得する請求項１又は２に記載の輝度測定装置と、
前記輝度測定装置が取得した輝度測定値に基づいて輝度に関する輝度パラメータを取得し、前記輝度パラメータの取得値と予め設定された基準値とを比較することにより、前記投影部に供給する画像データの補正値を取得する補正値取得部と、
前記補正値取得部が取得した補正値に基づいて、前記投影部に供給する画像データを補正する投影画像補正部と、
前記投影画像補正部が補正した画像データを前記投影部に供給して前記投影部に補正した画像を投影させる制御部と、を備えた、
ことを特徴とするプロジェクタ。
【請求項４】
前記輝度測定装置は、複数の原色の輝度測定値を取得し、
前記補正値取得部は、前記輝度測定装置が取得した複数の原色の輝度測定値に基づいて、前記複数の原色の輝度比を前記輝度パラメータとして取得し、前記投影面が予め設定された基準色のときに投影された投影画像の複数の原色の輝度比を予め設定された基準値として、取得した輝度比と前記基準値とを比較することにより、画像データの補正値を取得する、
ことを特徴とする請求項３に記載のプロジェクタ。
【請求項５】
前記補正値取得部は、前記輝度測定装置が取得した輝度測定値に基づいて、前記投影画像の輝度測定値と前記投影画像の投影輝度値が最大のときの輝度値との輝度比を輝度パラメータとして取得し、環境光がないときに前記輝度測定装置が取得した輝度測定値と前記投影画像の投影輝度値が最大のときの輝度値との輝度比を予め設定された基準値として、取得した輝度比と前記基準値とを比較することにより、前記画像データの補正値を取得する、
ことを特徴とする請求項３又は４に記載のプロジェクタ。
【請求項６】
輝度の測定対象物からの光を、行列配置された複数の光電変換素子で受光し、前記複数の光電変換素子が変換した複数の光検出信号の信号レベルと供給された閾値とをそれぞれ比較することにより前記複数の光検出信号を２値化して複数の２値信号を生成し、生成した複数の２値信号を加算演算するセンサを用いて前記測定対象物の輝度を測定する輝度測定方法であって、
既知の輝度に基づいて設定された複数の閾値を前記センサにそれぞれ供給し、前記センサが前記複数の２値信号を加算演算して２値画像の面積を示す信号を出力するように前記センサを制御するステップと、
前記センサに前記複数の閾値をそれぞれ供給したときの前記２値画像の面積変化量を取得するステップと、
取得した面積変化量に基づいて前記測定対象物の輝度測定値を取得するステップと、を備えた、
ことを特徴とする輝度測定方法。
【請求項７】
供給された画像データによる画像を投影面に投影する投影部を備えたプロジェクタの画像補正方法であって、
測定対象物を、前記投影面に投影された投影画像として、前記投影画像の輝度測定値を、請求項６に記載の輝度測定方法に従って取得するステップと、
前記取得した輝度測定値に基づいて前記投影画像の輝度に関する輝度パラメータを取得し、前記取得した輝度パラメータと予め設定された基準値とを比較することにより、前記投影部に供給する画像データの補正値を取得するステップと、
前記取得した補正値に基づいて、前記投影部に供給する画像データを補正するステップと、
前記補正した画像データを前記投影部に供給して前記投影部に補正した画像を投影させるステップと、を備えた、
ことを特徴とするプロジェクタの画像補正方法。
【発明の詳細な説明】
【技術分野】
【０００１】
本発明は、輝度測定装置、プロジェクタ、輝度測定方法及びプロジェクタの画像補正方法に関するものである。
【背景技術】
【０００２】
従来より、スクリーンに画像を投影するプロジェクタがある。プロジェクタは、スクリーンに適正な画像を投影するため、投影画像からの光を受光する受光素子を備えたものがある。
【０００３】
そして、この受光素子としてＣＣＤ（Charge Coupled Device;電荷結合素子）を備えたプロジェクタがある（例えば、特許文献１、２参照）。かかる従来のプロジェクタは、ＣＣＤを用いて投影画像の輝度値を測定し、光学系の調整、画像補正を行うようにしている。
【０００４】
例えば、特許文献１のプロジェクタは、ＣＣＤを用いて測定した輝度値から、投影画像のコントラストを取得し、取得したコントラストに基づいてレンズの位置を調整するようにしている。また、特許文献２のプロジェクタは、ＣＣＤを用いて測定した輝度値に基づいて、ホワイトバランスの調整、γ補正、色補正を行うようにしている。
【０００５】
このＣＣＤは、複数の光電変換素子を備え、光電変換素子に蓄積された電荷を垂直方向、水平方向に順次転送して出力する。従来のプロジェクタは、ＣＣＤが出力した各光電変換素子の蓄積電荷量に基づいて測定対象物の輝度を測定する。
【特許文献１】特開平３−１１３９７１号公報（第２頁−第５頁、第１図）
【特許文献２】特開２００４−１０９２４６号公報（第９頁、図２）
【発明の開示】
【発明が解決しようとする課題】
【０００６】
しかし、従来のこのようなプロジェクタでは、ＣＣＤにおいて、電荷の転送に時間を要し、短時間で輝度を測定することができない。また、投影画像の補正等にも時間を要することになる。
また、プロジェクタでは、スクリーンに画像を投影するため、投影画像がスクリーンの色、外部からの環境光によって影響を受ける。このため、プロジェクタでは、このような影響によって変化した投影画像の輝度パラメータを補正する必要がある。このような場合でも、従来のプロジェクタでは、投影画像の補正に時間を要することになる。
本発明は、このような従来の問題点に鑑みてなされたもので、短時間で輝度を測定することが可能な輝度測定装置、プロジェクタ、輝度測定方法及びプロジェクタの画像補正方法を提供することを目的とする。
【課題を解決するための手段】
【０００７】
この目的を達成するため、本発明の第１の観点に係る輝度測定装置は、
輝度の測定対象物からの光を、行列配置された複数の光電変換素子で受光し、前記複数の光電変換素子が変換した複数の光検出信号の信号レベルと供給された閾値とをそれぞれ比較することにより前記複数の光検出信号を２値化して複数の２値信号を生成し、生成した複数の２値信号を加算演算するセンサ部と、
既知の輝度に基づいて設定された複数の閾値を前記センサ部にそれぞれ供給して前記複数の２値信号を加算演算させ、前記複数の２値信号によって形成される２値画像の面積を示す信号を出力するように前記センサ部を制御するとともに、前記センサ部に前記複数の閾値をそれぞれ供給したときに前記複数の２値信号に基づいて形成される２値画像の面積変化量を取得し、取得した面積変化量に基づいて前記測定対象物の輝度測定値を取得する演算処理部と、を備えたことを特徴とする。
【０００８】
前記演算処理部は、前記閾値を変化させて前記２値画像の面積変化量を計測し、前記閾値の変化量に対する前記面積変化量が変化したときに、前記面積変化量が変化したときの閾値に対応する既知の輝度を前記測定対象物の輝度測定値として取得するようにしてもよい。
【０００９】
本発明の第２の観点に係るプロジェクタは、
供給された画像データによる画像を投影面に投影する投影部と、
前記投影部が前記投影面に投影した投影画像を測定対象物として、前記投影画像の輝度を取得する請求項１又は２に記載の輝度測定装置と、
前記輝度測定装置が取得した輝度測定値に基づいて輝度に関する輝度パラメータを取得し、前記輝度パラメータの取得値と予め設定された基準値とを比較することにより、前記投影部に供給する画像データの補正値を取得する補正値取得部と、
前記補正値取得部が取得した補正値に基づいて、前記投影部に供給する画像データを補正する投影画像補正部と、
前記投影画像補正部が補正した画像データを前記投影部に供給して前記投影部に補正した画像を投影させる制御部と、を備えたことを特徴とする。
【００１０】
前記輝度測定装置は、複数の原色の輝度測定値を取得し、
前記補正値取得部は、前記輝度測定装置が取得した複数の原色の輝度測定値に基づいて、前記複数の原色の輝度比を前記輝度パラメータとして取得し、前記投影面が予め設定された基準色のときに投影された投影画像の複数の原色の輝度比を予め設定された基準値として、取得した輝度比と前記基準値とを比較することにより、画像データの補正値を取得するようにしてもよい。
【００１１】
前記補正値取得部は、前記輝度測定装置が取得した輝度測定値に基づいて、前記投影画像の輝度測定値と前記投影画像の投影輝度値が最大のときの輝度値との輝度比を輝度パラメータとして取得し、環境光がないときに前記輝度測定装置が取得した輝度測定値と前記投影画像の投影輝度値が最大のときの輝度値との輝度比を予め設定された基準値として、取得した輝度比と前記基準値とを比較することにより、前記画像データの補正値を取得するようにしてもよい。
【００１２】
本発明の第３の観点に係る輝度測定方法は、
輝度の測定対象物からの光を、行列配置された複数の光電変換素子で受光し、前記複数の光電変換素子が変換した複数の光検出信号の信号レベルと供給された閾値とをそれぞれ比較することにより前記複数の光検出信号を２値化して複数の２値信号を生成し、生成した複数の２値信号を加算演算するセンサを用いて前記測定対象物の輝度を測定する輝度測定方法であって、
既知の輝度に基づいて設定された複数の閾値を前記センサにそれぞれ供給し、前記センサが前記複数の２値信号を加算演算して２値画像の面積を示す信号を出力するように前記センサを制御するステップと、
前記センサに前記複数の閾値をそれぞれ供給したときの前記２値画像の面積変化量を取得するステップと、
取得した面積変化量に基づいて前記測定対象物の輝度測定値を取得するステップと、を備えたことを特徴とする。
【００１３】
本発明の第４の観点に係るプロジェクタの画像補正方法は、
供給された画像データによる画像を投影面に投影する投影部を備えたプロジェクタの画像補正方法であって、
測定対象物を、前記投影面に投影された投影画像として、前記投影画像の輝度測定値を、請求項６に記載の輝度測定方法に従って取得するステップと、
前記取得した輝度測定値に基づいて前記投影画像の輝度に関する輝度パラメータを取得し、前記取得した輝度パラメータと予め設定された基準値とを比較することにより、前記投影部に供給する画像データの補正値を取得するステップと、
前記取得した補正値に基づいて、前記投影部に供給する画像データを補正するステップと、
前記補正した画像データを前記投影部に供給して前記投影部に補正した画像を投影させるステップと、を備えたことを特徴とする。
【発明の効果】
【００１４】
本発明によれば、短時間で輝度を測定することができる。
【発明を実施するための最良の形態】
【００１５】
以下、本発明の実施形態に係る輝度測定装置を図面を参照して説明する。
本実施形態に係る輝度測定装置の構成を図１に示す。
本実施形態に係る輝度測定装置１００は、測定対象物Ｍの輝度を測定するものである。この輝度測定装置１００の輝度測定原理は以下の通りである。
【００１６】
例えば、既知の複数の輝度値にそれぞれ対応するような複数の輝度閾値th_1〜th_nが設定される。輝度の測定対象物Ｍの輝度測定値と輝度閾値th_1〜th_n（th_1＜th_2＜・・・＜th_n）とをそれぞれ比較することにより、測定対象物Ｍの輝度値を測定することができる。
【００１７】
例えば、図２に示すように、測定対象物Ｍの輝度は均一として、実際の輝度が輝度閾値以下の画素を黒、実際の輝度が輝度閾値を超えた画素を白で表すものとする。また、測定対象物Ｍの輝度測定値をＢとする。この場合、輝度閾値が輝度測定値Ｂよりも低い輝度閾値th_k-1から、輝度測定値Ｂよりも高い輝度閾値th_kに変化すると、黒い画素の面積と白い画素の面積とは、急に変化する。この２値画像の面積が急に変化した場合の輝度閾値th_k-1〜th_kが測定対象物Ｍの輝度値になる。
【００１８】
この輝度測定装置１００は、このような原理に従い、異なる値の輝度閾値を用いて測定対象物Ｍの２値画像を生成し、その面積の変化量に基づいて測定対象物Ｍの輝度値を測定するように構成されている。
【００１９】
図１に戻り、この輝度測定装置１００は、演算処理部１０１と、センサ部１０２と、を備える。演算処理部１０１は、センサ部１０２に、各種信号とともに、輝度閾値th_1〜th_nを出力してセンサ部１０２を制御するものである。
【００２０】
また、演算処理部１０１は、センサ部１０２から測定対象物Ｍの各２値画像の面積値を取得して、測定対象物Ｍの輝度値を測定する。この演算処理部１０１は、ＣＰＵ（Central Processing Unit）、ＲＯＭ（Read Only Memory）、ＲＡＭ（Random Access Memory）等を備えて構成されている。
【００２１】
演算処理部１０１は、各種信号として信号LOAD、COL(x)、ROW(y)、CLOCK1、CLOCK2、SELを生成してセンサ部１０２に出力する。また、演算処理部１０１は、輝度閾値th_1〜th_nを予め記憶し、センサ部１０２に、順次、出力する。信号LOADは、センサ部１０２を初期設定するための信号である。
【００２２】
信号CLOCK1、CLOCK2は、センサ部１０２の動作タイミングを設定するための信号である。信号CLOCK1、CLOCK2の周波数は、センサ部１０２の処理速度、構成等によって設定され、例えば、信号CLOCK1の周波数は、２０ＭＨｚ〜１００ＭＨｚ程度、信号CLOCK2の周波数は、１ＭＨｚ〜１０ＭＨｚ程度に設定される。信号COL(x)、ROW(y)、SELについては、後述する。
【００２３】
センサ部１０２は、図３に示すように、画像処理部１と、列加算部２と、ロウデコーダ３と、カラムデコーダ４と、を備える。
【００２４】
画像処理部１は、複数の画像検出処理要素（以後、単に「処理要素」と記す。）1_xyからなる。本実施形態では、本実施形態では、行方向、列方向の処理要素1_xyを、ともにＮ個として、Ｎ＝８とする（ｘ＝１〜８，ｙ＝１〜８）。但し、処理要素1_xyの行数と列数とは異なるようにしてもよいし、Ｎ＝８に限定されるものでもない。
【００２５】
ロウデコーダ３は、演算処理部１０１から供給された信号ROW(y)に従って処理要素1_xyのいずれかの列を選択するものである。ロウデコーダ３は、供給された信号ROW(y)を、処理要素1_xyの列を選択するため列選択信号ｙj（j＝１〜８）に変換して処理要素1_xyに出力し、処理要素1_xyのいずれかの列を選択する。
【００２６】
カラムデコーダ４は、演算処理部１０１から供給された信号COL(x)に従って処理要素1_xyのいずれかの行を選択するものである。カラムデコーダ４は、供給された信号COL(x)を、処理要素1_xyの行を選択するための行選択信号ｘi（i＝１〜８）に変換して処理要素1_xyに出力し、処理要素1_xyのいずれかの行を選択する。
【００２７】
Ｎ＝８とした場合、信号ROW(y)、COL(x)をそれぞれ送信する信号線は、例えば、４本で構成される。この場合、ロウデコーダ３、カラムデコーダ４は、図４に示すような選択パターンに従って信号ROW(y)，COL(x)を、それぞれ、列選択信号ｙj、行選択信号ｘiに変換する。ロウデコーダ３、カラムデコーダ４は、この選択パターンを記憶するメモリ（図示せず）を備える。
【００２８】
演算処理部１０１は、初期化時、選択パターンＰ９の信号ROW(y)、COL(x)をセンサ部１０２に出力し、初期化後は、選択パターンＰ１６の信号ROW(y)、COL(x)をセンサ部１０２に出力する。
【００２９】
各処理要素1_xyは、測定対象物Ｍからの反射光を受光して光検出信号に変換し、変換した光検出信号に対して、それぞれ、画像処理を行うものである。各処理要素1_xyは、図５に示すように、光電変換器１１と、トラッキング部１２と、マスク部１３と、行加算部１４と、を備える。
【００３０】
光電変換器１１は、受光した光を、その光強度に対応する信号レベルの光検出信号Ｓ２に変換するものである。
【００３１】
トラッキング部１２は、光電変換器１１からの光検出信号Ｓ２を２値画像に変換し、セルフウィンドウ法に基づいてターゲットトラッキングを行うものである。セルフウィンドウ法は、隣接する処理要素と自らの処理要素において、ターゲットとした前フレームのトラッキング画像からウィンドウ画像を生成し、生成したウィンドウ画像の領域内の２値画像を新たなトラッキング画像として生成する方法である。
【００３２】
即ち、前回のトラッキング画像が図６（ａ）に示すような画像２１１である場合に、トラッキング部１２は、隣接する処理要素と自らの処理要素において生成したトラッキング画像から、図６（ｂ）に示すようなウィンドウ画像２１２を生成する。今回の２値画像が図６（ｃ）に示すような画像２１３であった場合、トラッキング部１２は、図６（ｂ）に示すウィンドウ画像２１２と図６（ｃ）に示す２値画像２１３との論理積を演算して、図６（ｄ）に示すような今回のトラッキング画像２１４を生成する。
【００３３】
言い換えれば、トラッキング部１２は、生成したウィンドウ画像の領域外の画像を除外してトラッキング画像を生成する。
【００３４】
このトラッキング部１２は、２値化回路１２１と、論理和回路１２２と、論理積回路１２３と、マルチプレクサ１２４と、ＦＦ回路１２５と、を備える。
【００３５】
２値化回路１２１は、光電変換器１１によって変換された光検出信号Ｓ２の信号レベルを、各輝度閾値th_1〜th_nと比較することにより、２値信号Ｓ３に変換するものである。２値画像は、複数の処理要素1_xyの２値化回路１２１が変換した２値信号Ｓ３によって生成される。
【００３６】
２値化回路１２１は、光検出信号Ｓ２の信号レベルが供給された輝度閾値以上の場合、“Ｈ”レベルの信号Ｓ３を出力し、輝度閾値未満の場合、“Ｌ”レベルの信号Ｓ３を出力する。
【００３７】
論理和回路１２２は、周辺の処理要素1_(x-1)y ，1_(x+1)y，1_x(y-1)，1_x(y+1)のトラッキング部１２からそれぞれ出力されたトラッキング画像信号Ｓ６と、処理要素1_xyのトラッキング部１２から出力されたトラッキング画像信号Ｓ６と、の論理和を演算してウィンドウ画像信号Ｓ４を生成するものである。
【００３８】
論理和回路１２２は、これらのトラッキング画像信号Ｓ６の信号レベルうち、少なくとも１つの信号レベルが“Ｈ”レベルのとき、“Ｈ”レベルのウィンドウ画像信号Ｓ４を出力し、すべての信号レベルが“Ｌ”レベルのとき、“Ｌ”レベルのウィンドウ画像信号Ｓ４を出力する。
【００３９】
論理積回路１２３は、論理和回路１２２が生成したウィンドウ画像信号Ｓ４と２値化回路１２１が生成した信号Ｓ３との論理積を演算し、信号Ｓ５を生成するものである。信号Ｓ３及び信号Ｓ４の信号レベルが“Ｈ”レベルの場合、論理積回路１２３は、“Ｈ”レベルの信号Ｓ５を出力し、信号Ｓ３及び信号Ｓ４の信号レベルの少なくとも一方が“Ｌ”レベルのときに、“Ｌ”レベルの信号Ｓ５を出力する。
【００４０】
マルチプレクサ１２４は、信号LOADに従って、マスク部１３の論理積回路１３１から出力された信号Ｓ１又は論理積回路１２３から出力された信号Ｓ５を選択してＦＦ回路１２５に出力するものである。マルチプレクサ１２４は、信号LOADが“Ｌ”レベルの場合、信号Ｓ１を選択出力し、信号LOADが“Ｈ”レベルの場合には、信号Ｓ５を選択出力する。
【００４１】
演算処理部１０１は、初期化時に“Ｌ”レベルの信号LOADをセンサ部１０２に出力し、初期化すると“Ｈ”レベルの信号LOADをセンサ部１０２に出力する。
【００４２】
ＦＦ（フリップフロップ）回路１２５は、Ｄフリップフロップによって構成され、演算処理部１０１から供給された信号CLOCK1の立ち上がりに同期して、マルチプレクサ１２４が出力した信号Ｓ１又は信号Ｓ５の信号レベルを保持するものである。ＦＦ回路１２５は、保持した信号を次の信号CLOCK1の立ち上がり時にトラッキング画像信号Ｓ６として出力する。
【００４３】
マスク部１３は、トラッキング部１２と行加算部１４とを初期化するとともに、トラッキング画像信号Ｓ６をビットマスクするためのものであり、論理積回路１３１，１３２を備える。
【００４４】
論理積回路１３１は、カラムデコーダ４から出力された行選択信号ｘi及びロウデコーダ３から出力された列選択信号ｙjがともに“Ｈ”レベルの場合、“Ｈ”レベルの信号Ｓ１を出力し、行選択信号ｘi及び列選択信号ｙjの少なくとも一方が“Ｌ”レベルのとき、“Ｌ”レベルの信号Ｓ１を出力する。
【００４５】
論理積回路１３２は、論理積回路１３１から出力された信号Ｓ１とトラッキング部１２から出力されたトラッキング画像信号Ｓ６との論理積を演算するものである。
【００４６】
論理積回路１３１から出力された信号Ｓ１の信号レベルが“Ｈ”レベルの場合、論理積回路１３２は、トラッキング画像信号Ｓ６を行加算部１４に出力する。また、論理積回路１３２は、信号Ｓ１の信号レベルが“Ｌ”レベルの場合、トラッキング画像信号Ｓ６の行加算部１４への出力を停止する。
【００４７】
行加算部１４は、行方向のＳＵＭ信号をカウントするためのものであり、マルチプレクサ１４１と、加算回路１４２と、ＦＦ回路１４３と、からなる。
【００４８】
マルチプレクサ１４１は、演算処理部１０１から供給された信号SELに従って論理積回路１３２の出力信号又はＦＦ回路１４３が出力したCARRY信号を選択出力するものである。
【００４９】
マルチプレクサ１４１は、信号SELが“Ｈ”レベルのときに、論理積回路１３２の出力信号を選択出力し、信号SELが“Ｌ”レベルのときに、ＦＦ回路１４３から出力されたＣＡＲＲＹ信号を選択出力する。
【００５０】
加算回路１４２は、半加算回路によって構成され、マルチプレクサ１４１が選択出力した信号又はＣＡＲＲＹ信号と、隣接する処理要素1_(x-1)yの加算回路１４２から出力されたＳＵＭ信号と、をカウントするものである。
【００５１】
加算回路１４２は、加算結果としてのＳＵＭ信号を、隣接する画像検出処理要素1_(x+1)yの加算回路１４２に出力し、ＣＡＲＲＹ信号をＦＦ回路１４３に出力する。
【００５２】
ＦＦ回路１４３は、Ｄフリップフロップによって構成され、加算回路１４２から出力されたＣＡＲＲＹ信号を、演算処理部１０１から供給された信号CLOCK2の立ち上がりに同期して保持するものである。ＦＦ回路１４３は、保持したＣＡＲＲＹ信号を次の信号CLOCK2の立ち上がり時にマルチプレクサ１４１に出力する。
【００５３】
次に、図３に示す列加算部２は、処理要素1_18〜1_88からそれぞれ出力されたＳＵＭ信号を、順次、列方向にカウントするものであり、加算部2_1〜2_8からなる。
【００５４】
加算部2_yは、図７に示すように、加算回路２１とＦＦ回路２２とからなる。
加算回路２１は、半加算回路によって構成され、加算部2_(y-1)の加算回路２１から供給されたＳＵＭ信号と処理要素1_8yの加算回路１４２から出力されたＳＵＭ信号とＦＦ回路２２から出力されたＣＡＲＲＹ信号とをカウントするものである。
【００５５】
そして、加算回路２１は、カウントした数をＳＵＭ信号、ＣＡＲＲＹ信号として、ＳＵＭ信号を加算部2_(y+1)の加算回路２１に出力し、ＣＡＲＲＹ信号を加算部2_yのＦＦ回路２２に出力する。
【００５６】
ＦＦ回路２２は、Ｄフリップフロップによって構成され、加算部2_yの加算回路２１から出力されたＣＡＲＲＹ信号を、信号CLOCK2の立ち上がりに同期して加算部2_yの加算回路２１に出力するものである。尚、演算処理部１０１は、１サイクルを信号CLOCK2のクロック周期として、初期化時に、信号SELを２ｎサイクル分だけマルチプレクサ１４１に出力し、各加算部2_yのＦＦ回路２２をリセットする。
【００５７】
列加算部２は、加算部2_8の加算回路２１が出力したＳＵＭ信号を、列加算部２の信号SOUTとして、図１の演算処理部１０１に出力する。
【００５８】
この信号SOUTは、各処理要素1_xyが生成した２値画像の画素の総カウント数を示す。そして、この総カウント数は、生成した２値画像の面積に相当する。
【００５９】
このように、センサ部１０２は、測定対象物Ｍからの光を受光して光検出信号に変換し、測定対象物Ｍの輝度値を各輝度閾値th_1〜th_nと比較することにより、２値画像を生成し、生成した２値画像の面積を求めている。
【００６０】
即ち、このセンサ部１０２は、各処理要素1_xyに光電変換器１１だけでなく、行加算部１４も備え、２値画像の面積値を出力するものであり、この点でＣＣＤとは異なる構成を有している。この２値画像の総カウント数は、信号CLOCK2の２×ｎサイクルで求められる。このため、この輝度測定装置１００は、高速に輝度測定を行える。
【００６１】
具体的には、センサ部１０２が面積を取得する場合、（２ｎ＋１）サイクルを要する。ｎ＝６とすると、センサ部１０２は、面積を取得するのに（２×６＋１）＝１３サイクルを要することになる。
【００６２】
信号CLOCK2のクロック周波数を１０ＭＨｚとすると、面積を取得する処理時間は、１．３μｓ程度になる。これに対して、従来のＣＣＤの処理時間は、通常、３０ｍｓ程度である。このようにＣＣＤと比較して、輝度測定装置１００は、短時間で輝度を測定する。
【００６３】
次に本実施形態に係る輝度測定装置１００の動作を説明する。
まず、演算処理部１０１の動作について説明する。演算処理部１０１は、図８に示すフローチャートに従って、センサ部１０２を制御し、測定対象物Ｍの輝度測定処理を実行する。
【００６４】
演算処理部１０１は、センサ部１０２を初期化する（ステップＳ１１）。即ち、演算処理部１０１は、センサ部１０２に、“Ｌ”レベルの信号LOADを出力し、図４に示す選択パターンＰ９の信号ROW(y)、COL(x)をセンサ部１０２に出力する。また、演算処理部１０１は、センサ部１０２に、信号SELを２ｎサイクル出力する。
【００６５】
初期化が終了すると、演算処理部１０１は、センサ部１０２に、“Ｈ”レベルの信号LOADを出力し、図４に示す選択パターンＰ１６の信号ROW(y)、COL(x)をセンサ部１０２に出力する。そして、演算処理部１０１は、センサ部１０２に輝度閾値th_1を供給する（ステップＳ１２）。
【００６６】
演算処理部１０１は、センサ部１０２が出力した信号SOUTを取得する（ステップＳ１３）。
演算処理部１０１は、取得した出力信号SOUTに基づいて２値画像の面積を取得する（ステップＳ１４）。演算処理部１０１は、取得した２値画像の面積をＲＡＭに記憶する。
【００６７】
演算処理部１０１は、輝度閾値をすべて供給したか否かを判定する（ステップＳ１５）。
【００６８】
輝度閾値をすべて供給していないと判定した場合（ステップＳ１５においてＮｏ）、演算処理部１０１は、ステップＳ１２〜Ｓ１４を実行する。
【００６９】
輝度閾値をすべて供給したと判定した場合（ステップＳ１５においてＹｅｓ）、演算処理部１０１は、面積の変化量を取得する（ステップＳ１６）。
演算処理部１０１は、面積の変化量が最も大きくなったときの輝度閾値に基づいて、輝度測定対象物Ｍの輝度値を取得する（ステップＳ１７）。
【００７０】
次に、この輝度測定処理を具体的に説明する。
初期化時に、演算処理部１０１は、図４に示す選択パターンＰ９の信号ROW(y)、COL(x)をセンサ部１０２に出力する。センサ部１０２のロウデコーダ３、カラムデコーダ４は、選択パターンＰ９に従って、すべて“Ｌ”レベルの列選択信号ｙi、行選択信号ｘiを、すべての処理要素1_xyの論理積回路１３１に出力する。
【００７１】
また、演算処理部１０１が“Ｌ”レベルの信号LOADをセンサ部１０２に供給すると、すべての処理要素1_xyのマルチプレクサ１２４は、論理積回路１３１の“Ｌ”レベルの信号Ｓ１をＦＦ回路１２５に選択出力する。
【００７２】
また、演算処理部１０１がセンサ部１０２に、信号SELを、信号CLOCK2の２ｎサイクル分だけ出力すると、各処理要素1_xyのＦＦ回路１４３はリセットされる。このようにして、演算処理部１０１は、センサ部１０２を初期化する。
【００７３】
初期化後、演算処理部１０１がセンサ部１０２に、図４に示す選択パターンＰ１６の信号ROW(y)、COL(x)をセンサ部１０２に出力する。センサ部１０２のロウデコーダ３、カラムデコーダ４は、選択パターンＰ１６に従って、すべて“Ｈ”レベルの列選択信号ｙi、行選択信号ｘiを、すべての処理要素1_xyの論理積回路１３１に出力する。
【００７４】
また、演算処理部１０１がセンサ部１０２に、“Ｈ”レベルの信号LOADを出力すると、すべての処理要素1_xyのマルチプレクサ１２４は、論理積回路１２３の信号Ｓ５をＦＦ回路１２５に選択出力する。
【００７５】
演算処理部１０１は、輝度閾値th_1をセンサ部１０２に供給する。光電変換器１１は、測定対象物Ｍからの光に基づいて変換した光検出信号Ｓ２をトラッキング部１２の２値化回路１２１に出力する。
【００７６】
２値化回路１２１は、光検出信号Ｓ２と、演算処理部１０１から供給された輝度閾値th_1とを比較することにより、２値画像を生成する。そして、トラッキング部１２は、セルフウィンドウ法に基づいてターゲットトラッキングを行い、トラッキング画像信号Ｓ６を行加算部１４に出力する。
【００７７】
ここで、センサ部１０２の動作を図９及び図１０に基づいて説明する。尚、ここでは、簡略化のため、２値画像の画素数（画像処理部１の処理要素1_xyの数）を４×４とする。
【００７８】
トラッキング部１２が出力するトラッキング画像を図９（ａ）に示すような画像２１５とする。演算処理部１０１は、図９（ｂ）に示すように、“Ｈ”レベルの信号SELをセンサ部１０２に供給する。
【００７９】
３行目の処理要素1_13〜1_43を例にすると、処理要素1_13〜1_43の各マルチプレクサ１４１は、同じ処理要素のトラッキング部１２から出力されたトラッキング画像信号Ｓ６を加算回路１４２に選択出力する。
【００８０】
例えば、処理要素1_13〜1_43の各マルチプレクサ１４１は、同じ処理要素の加算回路１４２にトラッキング部１２が出力した“１”（“Ｈ”レベル），“０”（“Ｌ”レベル），“１”，“１”を、選択出力する。
【００８１】
処理要素1_13〜1_43の各加算回路１４２は、順次、隣接した処理要素の加算回路１４２から出力されたＳＵＭ信号と、自己の処理要素のマルチプレクサ１４１から選択出力されたトラッキング画像信号Ｓ６と、をカウントする。
【００８２】
そして、各処理要素1_13〜1_43の加算回路１４２は、加算結果として、ＳＵＭ信号とＣＡＲＲＹ信号とを出力する。処理要素1_13〜1_43の各ＦＦ回路１４３は、出力されたＣＡＲＲＹ信号を、この列のトラッキング画像２１５を示すものとして信号CLOCK2の立ち上がり時に格納する。
【００８３】
また、列加算部２の加算部2_1〜2_4の各加算回路２１は、処理要素1_41〜1_44の各加算回路１４２から出力されたＳＵＭ信号を列カウント数の最下位桁として、順次、カウントする。そして、加算部2_4は、信号CLOCK2の立ち上がり時にＳＵＭ信号“０”を信号SOUTとして出力する。この信号SOUTは、２値画像の面積の最下位桁を示す。
【００８４】
次に、演算処理部１０１は、図１０（ａ）に示すように、センサ部１０２に“Ｌ”レベルの信号SELを供給する。処理要素1_13〜1_43の各マルチプレクサ１４１は、同じ処理要素のＦＦ回路１４３が格納したＣＡＲＲＹ信号を選択出力する。
【００８５】
処理要素1_13〜1_43の各加算回路１４２は、順次、隣接した処理要素の加算回路１４２から出力されたＳＵＭ信号とマルチプレクサ１４１から選択出力されたＣＡＲＲＹ信号とをカウントする。
【００８６】
列加算部２の加算部2_1〜2_4の各加算回路２１は、処理要素1_41〜1_44の各加算回路１４２から出力されたＳＵＭ信号を列カウント数の次の桁として、順次、出力する。加算部2_4は、信号CLOCK2の立ち上がり時に、ＳＵＭ信号“１”を信号SOUTとして出力する。この信号SOUTは、２値画像の面積の次の桁を示す。
【００８７】
同じようにして、加算部2_4は、信号CLOCK2の立ち上がり時に、ＳＵＭ信号“１”を信号SOUTとして出力する。この信号SOUTは、２値画像の面積のさらに次の桁を示す。
【００８８】
このように、センサ部１０２が輝度閾値th_1が供給されたときの２値画像の面積を示す信号SOUTを出力する。
【００８９】
演算処理部１０１は、このようにして、順次、輝度閾値th_2〜th_nをセンサ部１０２に供給して、２値画像の面積を取得する。図２に示すように、面積が、輝度閾値th_k-1〜th_kの間で、A__k-1〜A_kに急に変化した場合、演算処理部１０１は、輝度閾値th_k-1〜th_kを測定対象物Ｍの輝度値とする。尚、バイナリサーチ法を用いることにより、より少ない輝度閾値を用いて面積の急激な変化点を求めることもできる。
【００９０】
以上説明したように、本実施形態１によれば、演算処理部１０１は、センサ部１０２に輝度閾値th_2〜th_nを供給し、センサ部１０２が出力した面積の値に基づいて測定対象物Ｍの輝度値を測定するようにした。
【００９１】
従って、このセンサ部１０２は、２値画像の面積値として画素の総カウント数を出力するため、高速で測定対象物Ｍの輝度値を測定することができる。
【００９２】
（実施形態２）
実施形態２は、実施形態１に係る輝度測定装置をプロジェクタに適用し、実施形態１に係る輝度測定装置を用いて壁色補正を行うようにしたものである。
【００９３】
実施形態２に係るプロジェクタ３００の構成を図１１に示す。
実施形態２に係るプロジェクタ３００は、投影部３０１と、輝度測定装置３０２と、プロジェクタ制御部３０３と、投影画像補正部３０４と、を備える。
【００９４】
投影部３０１は、プロジェクタ制御部３０３から供給された画像データに基づいて画像をスクリーンＳに投影するものである。輝度測定装置３０２は、実施形態１に係る輝度測定装置１００と同様のものである。
【００９５】
プロジェクタ制御部３０３は、プロジェクタ３００全体を制御するものであり、実施形態１の演算処理部１０１と同様に、ＣＰＵ、ＲＯＭ、ＲＡＭ等を備える。プロジェクタ制御部３０３は、スクリーンＳへの焦点合わせを行うように投影部３０１を制御する。そして、プロジェクタ制御部３０３は、投影部３０１に画像データを供給する。
【００９６】
プロジェクタ制御部３０３は、輝度測定装置３０２が測定して得られた輝度測定値を用い、投影部３０１、投影画像補正部３０４とともに壁色補正処理を実行する。
【００９７】
壁色補正処理は、スクリーン、黒板等の壁に画像を投影する場合に壁の色によって変化した輝度パラメータを補正する処理である。例えば、外出時等に、白色のスクリーンＳを使用できないこともあり得る。この場合、代用として、図１２（ａ）に示すような白色でない黒板Ｓb等を利用することになる。
【００９８】
白色のスクリーンＳの代わりに、白色でない黒板Ｓbを用いて時計画像３１０を投影した場合、図１２（ｃ）に示すように、時計画像３１０の色合いが黒板Ｓbの色により大きく影響を受けてしまう。この影響を受けると、図１２（ｄ）に示すような本来の時計画像３１０の色を再現することができなくなる。
【００９９】
しかし、時計画像３１０の色合いが黒板Ｓbの色によって影響を受けた場合、輝度パラメータとしてＲＧＢ各色の輝度比も変化する。従って、ＲＧＢ各原色の輝度値を測定し、この輝度比を輝度パラメータとして求め、基準白色スクリーンでのＲＧＢの輝度比を基準値とすることによって壁色補正を行うことができる。
【０１００】
具体的には、プロジェクタ制御部３０３は、投影部３０１を制御し、スクリーンＳにＲＧＢの時計画像３１０を、順次、投影させる。プロジェクタ制御部３０３は、黒板Ｓbからのそれぞれの光を受光したときの時計画像３１０の輝度測定値を輝度測定装置３０２から取得する。
【０１０１】
プロジェクタ制御部３０３は、輝度測定装置３０２が取得したＲＧＢの輝度測定値に基づいて、ＲＧＢの輝度比を輝度パラメータとして取得する。そして、プロジェクタ制御部３０３は、スクリーンＳが予め設定された基準白色スクリーンＳのときに投影されたＲＧＢの輝度比を予め設定された基準値としてＲＡＭ等に記憶し、取得した輝度比とこの基準値とを比較する。
【０１０２】
プロジェクタ制御部３０３は、取得した輝度比が基準値となるように、輝度比の補正値を取得する。プロジェクタ制御部３０３は、この補正値を画像データの補正値として投影画像補正部３０４に供給する。そして、プロジェクタ制御部３０３は、補正した補正画像を投影画像補正部３０４から取得して投影部３０１に供給する。
【０１０３】
投影画像補正部３０４は、プロジェクタ制御部３０３から、供給された輝度比の補正値に基づいて、投影部３０１に供給する画像データを補正して補正画像を生成するものである。
【０１０４】
次に、実施形態２に係るプロジェクタ３００の動作を説明する。
プロジェクタ制御部３０３は、図１３に示すフローチャートに従い、壁色補正処理を実行する。
【０１０５】
即ち、プロジェクタ制御部３０３は、投影部３０１にＲＧＢ色の時計画像３１０を供給し、順次、スクリーンＳに投影させる（ステップＳ２１）。
プロジェクタ制御部３０３は、輝度測定装置３０２にＲＧＢ各色の時計画像３１０の輝度を測定させ、それぞれの輝度測定値を取得する（ステップＳ２２）。
【０１０６】
プロジェクタ制御部３０３は、取得したそれぞれの輝度測定値に基づいてＲＧＢの輝度比を輝度パラメータとして取得する（ステップＳ２３）。
プロジェクタ制御部３０３は、輝度比の基準値として予め記憶した基準白色スクリーンでのＲＧＢの輝度比と、取得した輝度比と、を比較する（ステップＳ２４）。
【０１０７】
プロジェクタ制御部３０３は、比較結果に基づいて、取得した輝度比の補正値を取得する（ステップＳ２５）。
プロジェクタ制御部３０３は、取得した補正値を投影画像補正部３０４に供給する（ステップＳ２６）。
【０１０８】
プロジェクタ制御部３０３は、投影画像補正部３０４から、補正値に基づいて補正した補正画像を取得して、投影部３０１にその画像データを供給し、スクリーンＳに投影させる（ステップＳ２７）。
【０１０９】
この壁色補正処理についてさらに具体的に説明する。
例えば、スクリーンＳが基準白色スクリーンであって、そのときに投影された投影画像の輝度比が図１４（ａ）に示すような比であるものとする。プロジェクタ制御部３０３は、この輝度比を基準値として記憶する。
【０１１０】
これに対して、黒板Ｓbに投影した投影画像の補正前のＲＧＢの輝度比が、図１４（ｂ）に示すような比になっているものとする。
この場合、プロジェクタ制御部３０３は、黒板Ｓbに投影した投影画像の輝度比が、図１４（ａ）に示すような輝度比となるように、投影部３０１に供給する画像データの輝度比を図１４（ｃ）に示すような比とする。これを補正値として、プロジェクタ制御部３０３は、この補正値を投影画像補正部３０４に供給する（ステップＳ２４〜Ｓ２６の処理）。
【０１１１】
投影画像補正部３０４は、供給された補正値に基づいて、図１４（ｃ）に示すようにＲＧＢの輝度比を補正した補正画像を生成する。
【０１１２】
プロジェクタ制御部３０３は、この補正画像を投影部３０１に供給して、黒板Ｓbに投影させる（ステップＳ２７の処理）。黒板Ｓbには、図１２（ｄ）に示すような補正された画像が投影される。
【０１１３】
以上説明したように、実施形態２によれば、プロジェクタ３００は、基準白色スクリーンでのＲＧＢの輝度比を基準値として、輝度測定装置３０２が測定したＲＧＢの輝度比と基準値とを比較することにより、輝度比の補正値を取得し、壁色補正を行うようにした。
【０１１４】
従って、短時間で壁色補正を行うことができる。また、実施形態２に係るプロジェクタは、従来のＣＣＤを用いたプロジェクタでは必須の画像処理装置を不要とし、プロジェクタのハードウェアを簡易にすることができる。
【０１１５】
（実施形態３）
実施形態３は、実施形態２と同様に、実施形態１に係る輝度測定装置をプロジェクタに適用し、調光処理を行うようにしたものである。
【０１１６】
この調光処理は、例えば、窓から入射する環境光によって影響を受けた画像の輝度を、適正な値に補正する処理である。
【０１１７】
スクリーンに投影された画像に、窓から環境光が照射された場合、図１５に示すように、測定対象物としての画像の輝度測定値は、環境光分だけ上昇する。しかし、環境光の影響を受けた場合、投影輝度値が最大のときの最大輝度値と取得した輝度測定値との輝度比は、環境光の光強度によって変化する。即ち、図１６に示すように、投影輝度がＬの場合、環境光がない場合の輝度比はｐ０であるのに対して、環境光がある場合の輝度比はｐ１となる。
【０１１８】
従って、環境光がないときの輝度測定値と投影画像の投影輝度値が最大のときの輝度値との輝度比を予め設定された基準値として、取得した輝度比と基準値とを比較することにより、画像データの補正値を取得して環境光の影響を受けた場合の画像を補正することができる。
【０１１９】
プロジェクタ制御部３０３は、輝度測定装置３０２が測定した輝度値に基づいて、スクリーン上にターゲットマーク画像を投影し、その輝度測定値を輝度測定装置３０２から取得する。
【０１２０】
プロジェクタ制御部３０３は、環境光がある場合の輝度測定値を輝度測定装置３０２から取得し、取得した輝度測定値と投影画像の投影輝度値が最大のときの輝度値との輝度比を輝度パラメータとして取得する。
【０１２１】
また、プロジェクタ制御部３０３は、環境光がないときの輝度測定値と投影画像の投影輝度値が最大のときの輝度値との輝度比を予め設定された基準値としてＲＡＭ等に記憶する。
【０１２２】
プロジェクタ制御部３０３は、取得した輝度比と基準値とを比較することにより、投影部３０１に供給する画像データの補正値を取得する。プロジェクタ制御部３０３は、取得した補正値を投影画像補正部３０４に供給する。
【０１２３】
投影画像補正部３０４は、プロジェクタ制御部３０３から供給された補正値に基づいて、補正画像を生成する。プロジェクタ制御部３０３は、投影画像補正部３０４から、この補正画像を取得し、投影部３０１に補正画像の画像データを供給する。
【０１２４】
次に、実施形態３に係るプロジェクタ３００の動作を説明する。
プロジェクタ制御部３０３は、投影部３０１、輝度測定装置３０２を制御して、図１７に示すフローチャートに従い、調光処理を実行する。
【０１２５】
即ち、プロジェクタ制御部３０３は、ターゲットマーク画像のデータを投影部３０１に供給し、スクリーンＳに画像を投影させる（ステップＳ３１）。
【０１２６】
プロジェクタ制御部３０３は、投影部３０１を制御して、スクリーンＳに投影した画像の投影輝度を変化させる（ステップＳ３２）。
【０１２７】
プロジェクタ制御部３０３は、輝度測定装置３０２を制御して、各投影輝度に対応するターゲットマーク画像の輝度を測定し、その輝度測定値を取得する（ステップＳ３３）。
【０１２８】
プロジェクタ制御部３０３は、輝度測定値と輝度最大値との輝度比を輝度パラメータとして取得する（ステップＳ３４）。
【０１２９】
プロジェクタ制御部３０３は、取得した輝度比を予め設定された基準値と比較し、比較の結果、投影部３０１に供給する画像データの補正値を取得する（ステップＳ３５）。
【０１３０】
プロジェクタ制御部３０３は、取得した補正値を、投影画像補正部３０４に供給する（ステップＳ３６）。
【０１３１】
プロジェクタ制御部３０３は、投影画像補正部３０４から、投影輝度値を補正した補正画像を取得して、その画像データを投影部３０１に供給する（ステップＳ３７）。
【０１３２】
以上説明したように、実施形態３によれば、プロジェクタ３００は、環境光がない場合に輝度測定装置３０２が測定した輝度測定値と最大輝度値との輝度比を基準値として、環境光がある場合の輝度比と基準値とを比較して、画像データの補正値を取得し、調光処理を行うようにした。
【０１３３】
従って、実施形態２と同様に、短時間で調光処理を行うことができ、調光処理を行うための画像処理が不要となる。このため、調光処理を行う場合でも、ハードウェアを簡易にすることができる。
【０１３４】
尚、本発明を実施するにあたっては、種々の形態が考えられ、上記実施の形態に限られるものではない。
例えば、本実施形態の輝度測定装置は、均一の輝度有する測定対象物だけでなく、図１８に示すように、輝度に従って面積が変化するような測定対象物Ｍに対して、コントラストとその変化の様子を測定することができる。
【０１３５】
この場合、演算処理部１０１は、センサ部１０２に、同じように複数の輝度閾値th_1〜th_nを供給し、センサ部１０２から２値画像の面積を取得する。それぞれの輝度閾値th_1〜th_nを供給して得られる測定対象物Ｍの面積は、その閾値で表される相対輝度値以上の輝度を有する部分の面積を表している。
【０１３６】
従って、それぞれの面積の差は対応する２つの相対輝度の間の測定対象物Ｍの面積割合を示すことになる。測定対象物Ｍの形状が既知である場合、演算処理部１０１がセンサ部１０２に輝度閾値th_1〜th_nを、順次、供給することにより、輝度測定装置は、測定対象物Ｍのコントラストとその変化の様子を測定することになる。
【０１３７】
実施形態２では、壁色補正の基準値を求めるための投影面を基準白色スクリーンとした。しかし、投影面は、基準白色スクリーンに限られるものではない。例えば、投影面が白色でない黒板であっても、予め時計画像３１０の本来の色を付すことができる輝度比が分かっていれば、この黒板を基準値を求めるときの投影面として用いることもできる。
【図面の簡単な説明】
【０１３８】
【図１】本発明の実施形態１に係る輝度測定装置の構成を示すブロック図である。
【図２】図１に示す輝度測定装置の輝度測定原理を示す図である。
【図３】図１に示すセンサ部の構成を示すブロック図である。
【図４】図３に示す画像検出処理要素を選択するための選択パターンを示す図である。
【図５】図３に示す画像検出処理要素の構成を示すブロック図である。
【図６】図５に示すトラッキング部のトラッキング処理を示す図である。
【図７】図３に示す列加算部の構成を示すブロック図である。
【図８】図１に示す演算処理部が実行する輝度測定処理を示すフローチャートである。
【図９】図３に示すセンサ部の動作（１）を示す図である。
【図１０】図３に示すセンサ部の動作（２）を示す図である。
【図１１】図１に示す輝度測定装置を用いたプロジェクタの構成を示すブロック図である。
【図１２】図１１に示すプロジェクタが実行する壁色補正処理を示す図である。
【図１３】図１１に示すプロジェクタが実行する壁色補正処理のフローチャートである。
【図１４】壁色補正処理の具体的内容を示す図である。
【図１５】図１１に示すプロジェクタが実行する調光処理を示す図である。
【図１６】調光処理の具体的内容を示す図である。
【図１７】図１１に示すにプロジェクタが実行する調光処理のフローチャートである。
【図１８】図１に示す輝度測定装置の応用例を示す図である。
【符号の説明】
【０１３９】
１  画像処理部
２  列加算部
３  ロウデコーダ
４  カラムデコーダ
１１  光電変換器
１２  トラッキング部
１４  行加算部
２１  加算回路
１００  輝度測定装置
１０１  演算処理部
１０２  センサ部
【図１】
2006162356.tif 000003
【図２】
2006162356.tif 000004
【図３】
2006162356.tif 000005
【図４】
2006162356.tif 000006
【図５】
2006162356.tif 000007
【図６】
2006162356.tif 000008
【図７】
2006162356.tif 000009
【図８】
2006162356.tif 000010
【図９】
2006162356.tif 000011
【図１０】
2006162356.tif 000012
【図１１】
2006162356.tif 000013
【図１２】
2006162356.tif 000014
【図１３】
2006162356.tif 000015
【図１４】
2006162356.tif 000016
【図１５】
2006162356.tif 000017
【図１６】
2006162356.tif 000018
【図１７】
2006162356.tif 000019
【図１８】
2006162356.tif 000020